(57)【要約】紙幣取扱いシステムは、複数の紙幣取扱い機械（１１，１２，・・・）と；会計目的等の複数の銀行（１６，１７）と；調整する中央ユニット（１０）と；機械と銀行との間で紙幣を輸送するための輸送車輛システム（１８，１９・・・）と；それぞれの銀行の活動及び紙幣取扱いを監視するための中央銀行（１５）と；そしてユニットの個々のそして相互に協力する活動が達成できるようにするための電子情報及び信号伝達システム（１−２）とを備える。情報及び信号伝達システム（１−２）は、二つのサブシステムに分割される。一のサブシステム（１）は、紙幣取扱いに関する活動について、銀行（１６，１７）と一般大衆／ビジネスとの間の取引に関し且つそれに基礎を有する情報及び信号の伝達を含んでいる。他方のサブシステム（２）は、紙幣取扱いシステム内で、例えば調整中央ユニットと車輛、紙幣取扱い機械と銀行のようなシステムの中で種々のユニットの必要な協働作用に関して必要とされる、単なる管理上及び技術上の信号伝達を含んでいる。
2004503881.tif 000002
【特許請求の範囲】
【請求項１】
紙幣取扱いシステムであって、
ａ）紙幣，小切手などのような有価証券を預入れ及び／又は払出すための複数の紙幣取扱い機械と；
ｂ）前記紙幣取扱い機械における取引を会計処理するための複数の銀行と；
ｃ）該機械の紙幣の内容、そして一般大衆及びビジネスにより報告され又は他の方法により明らかにされた紙幣のニーズに関する情報を受けるための、そして前記情報に基づいてシステム内のユニットの活動化を意図した命令信号を送信するための調整中央ユニットと、
ｄ）その時のニーズに応じて、該紙幣取扱い機械と該銀行との間で紙幣の必要な輸送を実施するための輸送システムと；
ｅ）前記銀行の活動一般及び実際の紙幣の取扱いを監視するための中央銀行と；そして
ｆ）公知のやり方で前記ユニットの中で個別及び相互間の活動を可能化するための電子情報及び信号伝達システム；
を備え、
該電子情報及び信号伝達システムは二つの相互に個別のサブシステムに分割されており、一方のサブシステム（１）は、該紙幣取扱いシステム内のそれらの作動に関して、一方では該銀行と他方では一般大衆及びビジネスとの間の紙幣取扱いのような取引に関し且つそれに基礎を有する情報及び信号の伝達を含み；他方のサブシステム（２）は、
該紙幣取扱いシステムの中で、例えば調整中央ユニットと車輛，紙幣取扱い機械と銀行のような種々のユニット間の必要な協働作用に関して必要とされる、単なる管理上及び技術上の信号の伝達を含む；
ことを特徴とする紙幣取扱いシステム。
【請求項２】
前記他のサブシステム（２）が、さらに二つの別個のサブシステムに分割されており、そのうちの一つは該紙幣取扱いシステムに含まれるユニットに関し必要とされる該技術上の信号の伝達又は技術上のサービスを含む技術的な第３のサブシステム（２１）であり、他の一つは該紙幣取扱いシステム内の現在の紙幣の流れに関して必要とされる／望まれる情報に関する、管理上の信号の伝達を含む管理上の第４のサブシステム（２２）であることを特徴とする請求項１の紙幣取扱いシステム。
【発明の詳細な説明】
【０００１】
【本発明の分野】
本発明は、主たる請求項の前文の中で定義された種類の紙幣取扱いシステムに関する。簡単には、該システムは数多くの紙幣取扱い機械，数多くの銀行，調整センター，輸送システム，中央銀行，そして電子情報及び信号伝達システムを含んでいる。
【０００２】
【本発明の概要】
本発明に従った該システムは、紙幣取扱いシステム内の情報及び信号伝達の活動に関して、一方では銀行と他方では一般大衆及びビジネスとの間の、例えば紙幣取扱いのような取引に関し且つそれに基礎を有する情報及び信号伝達を含む一のサブシステムと；
紙幣取扱いシステムの中で、例えば調整センターと車輛、紙幣取扱い機械と銀行のような種々のユニット間の必要な協働作用のために必要な単なる管理上及び技術上の信号の伝達を含む他のサブシステムとの二つの相互に分離したサブシステムに電子情報及び信号システムを分割するように設計されている。
【０００３】
本発明の紙幣取扱いシステムの他の特徴は、付随する請求項から明らかとなるであろう。
【０００４】
【好ましい具体例の説明】
今や本発明は、その中では図１が電子情報及び信号伝達システムの概略図であり、そして図２が該システムを含むユニットの全体図である添付図面を参照して、より詳細に記載されるであろう。
【０００５】
図１には、複数（全部でｎ台）のＴＣＣ２０００型紙幣取扱い機械の中の２台（１０１ 及び１０ｎ ）が示されている。各々の機械は、預入れ／払出し３１，品質分類３２，使い捨てカセット３３，安全ボックス３４，機械統計３５，誤り報告３６，取扱いエラー３７，偽造の疑い３８，紙幣貯蔵情報３９のそれぞれの表示を有している。これらの表示は、更に説明をするまでもなく、原理に関して本発明が十分に理解されるためには十分に明白である。
【０００６】
最初の三つの部分（左端）からの必要な情報及び信号伝達は、紙幣取扱いシステム内のそれらの動作に関して、例えば一方では銀行と他方では一般大衆及びビジネスの間の紙幣取扱いのような取引に関し且つそれに基礎を有する。
【０００７】
残っている六つの部分より必要とされる単なる管理上及び技術上の信号伝達は、紙幣取扱いシステムの中で、例えば調整センターと車輛、紙幣取扱い機械と銀行，そして中央銀行と銀行のような種々のユニット間の協働作用に関係する。
【０００８】
一般的には、純粋な取引データは迅速な接続が必要となる。例えばある人が彼の／彼女のキャッシュカード，クレジットカード又はそのようなもので彼自身／彼女自身の身元を証明するとき、関係銀行は迅速なデーターの接続を必要とする前記人の身元をすみやかに確認する必要がある。この情報流通サブシステム１は、図１の中に“取引データー”として表わされる。
【０００９】
例えば機械統計及び誤り報告のような純粋な管理上及び技術上の信号伝達は、もちろん同じ速度は必要とされず、そしてそれ故に、より遅い伝達により例えば呼出し接続／ＧＳＭによってなし遂げられる。二つの情報流通サブシステム（第２のサブシステム）は、図１の中で“論理及び技術データー”として表わされている。
【００１０】
実際には、例えばサービス車輛のような銀行取扱いシステムに含まれるユニットに対する必要な技術サービスのための、技術的信号伝達を含む技術上の第３のサブシステム２１と、そして例えばスウェーデン銀行のような中央銀行及び警察当局のための、例えば紙幣流通の最適化、紙幣品質のコントロールのような、紙幣取扱いシステム内の紙幣の流れに関する必要な／望まれる情報のための、管理上の信号伝達を含む管理上の第４のサブシステム２４と、との二つの別個のサブシステムに第２のサブシステムを分割することが適切であると認められた。
【００１１】
今や本発明のシステムに含まれることができるユニットが図２を参照して簡単に記載されるであろう。
【００１２】
数多くの紙幣取扱い機械又は出納機械１１，１２，１３，１４，・・・１ｎ は、紙幣を預入れ及び払出すために地理的に限られた区域に亘って配置されている。該機械は、一方では受容された品質の余った紙幣と、他方では受容されない品質の紙幣と、更に第三番目には偽造の可能性のある紙幣を収束し、そしてカセットの中へ包装するように設計されている。
【００１３】
機械は、前記機械から情報を受取り、そして前記機械へ情報及び制御信号を送信する共通の情報センター１０と通信し、この情報には、貯蔵された紙幣及びカセット包装された紙幣の現実の存在に関する情報、そしてまた、受容されない品質の紙幣及びやはりまた不正の疑いのある紙幣の検出に関する実際の情報を含んでいる。
【００１４】
またシステムは、機械からセンターへ送られた情報に基づいて情報センター１０により発せられる注文に応答して、機械１１・・・１ｎ へ及び機械からカセット包装された紙幣を輸送するための複数の輸送車輛１８，１９，２０，２１を含んでいる。
【００１５】
図面には、機械の所有者であり、そして地理的に限られた各々の関連区域の中にある前記機械に責任を有する二つの銀行１６，１７が示されている。紙幣取扱いのためのコミュニティにおける主な責任は、中央銀行１５（スウェーデン銀行）にある。種々のユニット間（紙幣取扱い機械／中央ユニット，輸送車輛／中央ユニット，銀行／中央ユニット，銀行／中央銀行）の通信接続は、破線で表わされている。
【００１６】
各機械，各輸送車輛，種々のユニット間でカセット／紙幣を輸送するための輸送車輛に使用される各保安金庫，及びシステムにおいて活動する各人は、個々の同定（コード）を与えられることができるため、中央ユニットは、各時点における紙幣／カセットの位置及びそれらの目的地についての制御／認識を有している。これは、新規な単純化されそしてコスト節約的現代的紙幣取扱いシステムに対し非常に高程度の安全保障を提供する。
【図面の簡単な説明】
【図１】電気的情報及び信号伝達システムの概略図。
【図２】図１のシステムを含むユニットの全体図。
【符号の説明】
１・・・取引データー
２・・・論理及び技術データー
２１・・・技術サービス紙幣輸送車輛
２２・・・紙幣流れの最適化，紙幣品質検査
２６・・・呼出し接続（ＧＳＭ）
２７・・・固定されたデーター接続
２８・・・ＧＳＭ／他の無線接続
２９・・・呼出し接続
３１・・・預入れ／払出し
３２・・・品質分類
３３・・・使い捨てカセット
３４・・・安全ボックス
３５・・・機械統計
３６・・・誤り報告
３７・・・取扱いエラー
３８・・・偽造の疑い
３９・・・紙幣貯蔵情報
４１・・・サービス車輛
４２・・・国立銀行警察当局
【国際公開パンフレット】
2004503881.tif 000003
2004503881.tif 000004
2004503881.tif 000005
2004503881.tif 000006
2004503881.tif 000007
2004503881.tif 000008
2004503881.tif 000009
2004503881.tif 000010
2004503881.tif 000011
2004503881.tif 000012
【国際調査報告】
2004503881.tif 000013
2004503881.tif 000014